(57)【要約】【課題】実験内容（テーマ・条件）、実験事象の場面映像、日時・温度・湿度・光の照度・風速・大気又は空気のクリーン度、震度、音等の環境データを自動取得して、一つの映像画面で表示可能とするとともに、ファイルとして保存可能とする。【解決手段】 実験環境データ観測機器２、観測現場に設置されたウェブカメラ３、実験観察用端末４及び実験管理サーバーシステム５がインターネット１０を介して接続されており、実験環境データ観測機器２は、観測現場における環境についての観測データを実験管理サーバーシステム５に送信し、ウェブカメラ３は、観測現場の映像データを実験管理サーバーシステム５へ送信し、実験観察用端末４のウェブ表示部８に表示する。【選択図】図１
2005312410.tif 000002
【特許請求の範囲】
【請求項１】
実験環境データ観測機器、実験現場に設置されたウェブカメラ、実験観察用端末及び実験管理サーバーシステムが通信回線で接続されてなることを特徴とするウェブカメラ実験観察データ自動取得システム。
【請求項２】
前記実験環境データ観測機器は、通信回線を介して観測した環境データを実験管理サーバーシステムに送信することを特徴とする請求項１記載のウェブカメラ実験観察データ自動取得システム。
【請求項３】
前記ウェブカメラは、観測現場の映像データを通信回線を介して前記実験管理サーバーシステムへ送信し、該映像データは、前記実験観察用端末のウェブ表示部に表示可能であることを特徴とする請求項１記載のウェブカメラ実験観察データ自動取得システム。
【請求項４】
前記実験管理サーバーシステムは、観測データ受信部、受信データ統合処理部、日付・時間処理部、実験内容登録部、レイヤー表示処理部、カメラ信号送・受信部、映像出力部、画像保存処理部、画像保存部、Ｗｅｂ表示処理部、入力部を備えており、実験環境データ観測機器で取得した環境データと、ウェブカメラで撮影した映像データを同一画面上に表示し、画像データとして保存することが可能であることを特徴とする請求項１記載のウェブカメラ実験観察データ自動取得システム。
【請求項５】
前記実験観察用端末は、その入力部から操作信号を入力することで、前記実験環境データ観測機器による環境データの取得と前記ウェブカメラによる観察現場の映像の撮影を、リアルタイムで行うとともに、前記保存された画像データの閲覧を可能とする構成であることを特徴とする請求項１記載のウェブカメラ実験観察データ自動取得システム。
【請求項６】
実験環境データ観測機器、観測現場に設置されたウェブカメラ、実験観察用端末及び実験管理サーバーシステムが通信回線で接続されてなるウェブカメラ実験観察データ自動取得システムであって、
前記実験環境データ観測機器は、観測した環境データを通信回線を介して前記実験管理サーバーシステムに送信し、
前記ウェブカメラは、観測現場の映像データを通信回線を介して前記実験管理サーバーシステムへ送信し、前記実験観察用端末のウェブ表示部に表示し、
前記実験管理サーバーシステムは、観測データ受信部、受信データ統合処理部、日付・時間処理部、実験内容登録部、レイヤー表示処理部、カメラ信号送・受信部、映像出力部、画像保存処理部、画像保存部、Ｗｅｂ表示処理部及び入力部を備えており、前記環境データと前記映像データを同一画面上に表示し画像として保存することを可能とし、
前記実験観察用端末は、その入力部から操作信号を入力することで、前記実験環境データ観測機器による環境データの取得と前記ウェブカメラによる観察現場の映像の撮影を、リアルタイムで行うとともに、前記保存された画像データの閲覧を可能とする構成であることを特徴とするウェブカメラ実験観察データ自動取得システム。
【請求項７】
前記ウェブカメラで撮影された映像データが映し出されるカメラの映像範囲上に、前記環境データが同時にレイヤー表示されるとともに、映像データと環境データが一つの映像ファイルとして保存されること特徴とする請求項１〜６のいずれかに記載のウェブカメラ実験観察データ自動取得システム。
【請求項８】
前記環境データ観測機器による環境データを自動取得する日時又は時間の間隔が予め設定可能であること特徴とする請求項１〜７のいずれかに記載のウェブカメラ実験観察データ自動取得システム。
【請求項９】
前記実験内容登録部は、観察テーマ、観察者、概要、環境条件を含む実験内容データが予め登録され、該実験内容データがウェブカメラで撮影された映像データの表示画面上に表示可能であること特徴とする請求項６〜８のいずれかに記載のウェブカメラ実験観察データ自動取得システム。
【発明の詳細な説明】
【技術分野】
【０００１】
本発明は、実験事象の場面映像（画像）、温度・湿度・光の照度・風速・大気又は空気のクリーン度、震度、音等の環境データを自動取得して、これに、実験内容（実験テーマ、条件、実験手法、観察者、）、日時（分・秒含む）等のデータを加えて、一つの映像（画像）画面で表示可能とするとともに、ファイルとして保存可能とするウェブカメラ実験観察データ自動取得システムに関する。
【背景技術】
【０００２】
野外において植物の生育状況やその環境変化データを取得する場合、その現場で実際に観察をしなければならない。室内においても、化学反応の実験やモルモット等を利用した動物実験において同様にその現場で観察データを取得する。
【０００３】
実験データは、１時間おき、１日おき、１週間おき、１ヶ月おき等、様々な時間経過（スケジュール）ごとに現場の様子データの変化を追わなければならない。よって、実験の観察においては、実験データの取得日時（分・秒を含む）とその保存間隔の設定等が重要になる。
【０００４】
また、実験における観察にはその観測現場の環境データを取得することも重要な要件である。通常、生物、動物、化学反応等の実験において重要な環境データとしては、その野外、室内における観測現場の温度、湿度、光の照度、風速、大気又は空気のクリーン度、震度、音等の環境データがある。
【０００５】
また、温度、湿度、光の照度、風速、大気又は空気のクリーン度のデータを取得する機材及び通信を関してそれらのデータを取得する方法は個別に存在する。例えば、植物の状態を測定するための色彩色差計、葉緑素計、放射温度計、大気及び気象状態を測定するための日射計、温度計、湿度計、風向風速計、雨量計、並びに土壌状態を測定するための温度計、水分計、水素イオン濃度ｐＨ計、抵抗計等により芝生生育環境の諸元を測定し、この測定結果をコンピュータに取り込み、この測定結果を分析して、土壌へ授受する熱量、投光量、送風量、散水量、及び施肥量等制御する装置は公知である（特許文献１参照。）
【０００６】
一方、Ｗｅｂライブカメラで、ネットワークを介して現場の状況を映像を見ることやその映像を保存することは防犯、防災等において既に利用されている。例えば、インターネット等の通信回線が発達した社会において、インターネット等を介した買物システムが利用されている。
【０００７】
店舗等の販売側のサイトに、ウェブカメラ等のカメラを設け、このカメラで商品を撮影し、その商品の映像をリアルタイムで、インターネット等に接続された利用者端末に送り、利用者は、その商品映像を見ながら商品の購入を可能とする商品販売のためのシステムが公知である（特許文献２、３参照）。実験の観察においても、その実験の事象を映像で取得することは可能である。
【特許文献１】特公平８−２２１６号公報
【特許文献２】特開２００３−３３１１５２号公報
【特許文献３】特開２００３−２９６４２１号公報
【発明の開示】
【発明が解決しようとする課題】
【０００８】
通常、実験の観察は、現場にて人間が直接カメラの撮影や温度、湿度、震度等の環境データを取得する機材を利用して実施する。時間的、空間的、経費的な制約で実験を行えない場合がある。
【０００９】
ネットワークを利用して実験データの処理を実施する場合でも、それぞれのデータを個別に取得しそれらの個別デジタルデータファイルを集計する作業を行わなければならない。また、これらの集計作業中に作業員の集計ミスや作業員や研究員の恣意により正確な観察データである保証は得られない場合がある。
【００１０】
本発明は上記従来の問題点を解決することを目的とするものであり、次のような点を課題とする。
（１）実験事象の場面映像（画像）と温度、湿度、光の照度、風速、大気又は空気のクリーン度、震度、音等の環境データに、日時（分・秒含む）データ及び実験内容（テーマ、条件、実験手法、観察者等）データを加え、これらのデータを、一つの映像（画像）画面で表示可能とする。
【００１１】
（２）実験事象の場面映像（画像）と温度、湿度、光の照度、風速、大気又は空気のクリーン度、震度、音等の環境データに、日時（分・秒含む）データ及び実験内容（テーマ、条件、実験手法、観察者等）データを加え、これらのデータを、一つの映像（画像）ファイルとして保存可能とする。
【００１２】
（３）実験事象の場面映像（画像）と温度、湿度、光の照度、風速、大気又は空気のクリーン度、震度、音等の環境データを取得し、保存するスケジュールを自動的に設定可能とし、さらに、データを取得する期間及び映像の場合影像の撮影時間を自動的に設定可能とする。
（４）ネットワークを介して１つのサーバーで集約管理可能とする。
【課題を解決するための手段】
【００１３】
本発明は上記課題を解決するために、実験環境データ観測機器、実験現場に設置されたウェブカメラ、実験観察用端末及び実験管理サーバーシステムが通信回線で接続されてなることを特徴とするウェブカメラ実験観察データ自動取得システムを提供する。
【００１４】
前記実験環境データ観測機器は、通信回線を介して観測した環境データを実験管理サーバーシステムに送信する構成としてもよい。
【００１５】
前記ウェブカメラは、観測現場の映像データを通信回線を介して前記実験管理サーバーシステムへ送信し、該映像データは、前記実験観察用端末のウェブ表示部に表示可能である構成としてもよい。
【００１６】
前記実験管理サーバーシステムは、観測データ受信部、受信データ統合処理部、日付・時間処理部、実験内容登録部、レイヤー表示処理部、カメラ信号送・受信部、映像出力部、画像保存処理部、画像保存部、Ｗｅｂ表示処理部、入力部を備えており、実験環境データ観測機器で取得した環境データと、ウェブカメラで撮影した映像データを同一画面上に表示し、画像データとして保存することが可能である構成としてもよい。
【００１７】
前記実験観察用端末は、その入力部から操作信号を入力することで、前記実験環境データ観測機器による環境データの取得と前記ウェブカメラによる観察現場の映像の撮影を、リアルタイムで行うとともに、前記保存された画像データの閲覧を可能とする構成としてもよい。
【００１８】
本発明は上記課題を解決するために、実験環境データ観測機器、観測現場に設置されたウェブカメラ、実験観察用端末及び実験管理サーバーシステムが通信回線で接続されてなるウェブカメラ実験観察データ自動取得システムであって、前記実験環境データ観測機器は、観測した環境データを通信回線を介して前記実験管理サーバーシステムに送信し、前記ウェブカメラは、観測現場の映像データを通信回線を介して前記実験管理サーバーシステムへ送信し、前記実験観察用端末のウェブ表示部に表示し、前記実験管理サーバーシステムは、観測データ受信部、受信データ統合処理部、日付・時間処理部、実験内容登録部、レイヤー表示処理部、カメラ信号送・受信部、映像出力部、画像保存処理部、画像保存部、Ｗｅｂ表示処理部及び入力部を備えており、前記環境データと前記映像データを同一画面上に表示し画像として保存することを可能とし、前記実験観察用端末は、その入力部から操作信号を入力することで、前記実験環境データ観測機器による環境データの取得と前記ウェブカメラによる観察現場の映像の撮影を、リアルタイムで行うとともに、前記保存された画像データの閲覧を可能とする構成であることを特徴とするウェブカメラ実験観察データ自動取得システムを提供する。
【００１９】
前記ウェブカメラで撮影された映像データが映し出されるカメラの映像範囲上に、前記環境データが同時にレイヤー表示されるとともに、映像データと環境データが一つの映像ファイルとして保存される構成としてもよい。
【００２０】
前記環境データ観測機器による環境データを自動取得する日時又は時間の間隔が予め設定可能である構成としてもよい。
【００２１】
前記実験内容登録部は、観察テーマ、観察者、概要、環境条件を含む実験内容データが予め登録され、該実験内容データがウェブカメラで撮影された映像データの表示画面上に表示可能である構成としてもよい。
【発明の効果】
【００２２】
本発明は上記解決手段を有するので、次のような効果を奏する。
（１）実験の観察において、研究者が観測現場にいなくても観察ができるので、研究における人件費の削減が可能になる。
（２）世界中のどこからでも観察が可能になる。
（３）個別データの集計作業をしなくてもよい。
（４）実験データの集計作業による誤謬や改ざんが難しくなりデータの正確性・真実性の裏付けとなる。
（５）防災（火山活動・地震予知・台風）や教育（観察）、防犯、観光等様々な分野に応用可能となる。
【発明を実施するための最良の形態】
【００２３】
本発明に係るウェブカメラ実験観察データ自動取得システムを実施するための最良の形態を実施例に基づき図面を参照して、以下説明する。
【実施例】
【００２４】
図１は、本発明に係るウェブカメラ実験観察データ自動取得システム１の全体構成を示すブロックである。本発明に係るウェブカメラ実験観察データ自動取得システム１は、実験環境データ観測機器２、観測現場に設置されたウェブカメラ３、実験観察用端末４４及び実験管理サーバーシステム５５が通信回線（本発明では、「インターネット」を利用するが、他の「通信回線」でもよい。）で接続されて構成される。
【００２５】
実験観察用端末４は、通常のパソコン端末であり、入力部６（実験管理サーバーシステム５に対してカメラの操作指令信号、閲覧請求指令信号、その他データ等を入力して送信する機能を有する部分。）、出力部７（実験管理サーバーシステム５から出力された映像データ等各種のデータを受信する機能を有する部分。図１中左右にあるが図の作成上便宜的に分けて記載したが、実際は同じ部分である。）、出力部７からの画像データ等を表示するＷｅｂ表示部８等を備えている。
【００２６】
実験環境データ観測機器２は、本実施例では、温度・湿度計、風力計、震度計、照度計が設けられており、温度・湿度、風速、震度、光の照度等を観測することができる。実験環境データ観測機器２は、観察目的に応じて、大気又は空気のクリーン度、音等の環境データ等を観測するその他の実験環境データ観測機器を配置してもよい。
【００２７】
このような実験環境データ観測機器２は、それぞれデータ送信部９に接続されており、さらに、インターネット１０を介して、実験管理サーバーシステム５の観測データ受信部１１に接続されている。このような構成により、実験環境データ観測機器２により観測された環境データは、データ送信部９を通して実験管理サーバーシステム５の観測データ受信部１１に送信される。
【００２８】
ウェブカメラ３（Ｗｅｂカメラ）は、映像撮影部、映像出力部及び動作制御部（カメラの撮影動作及び撮影方向等を制御する部分）を備えており、インターネット１０を介して実験管理サーバーシステム５のカメラ信号送・受信部１２に接続されている。
【００２９】
実験管理サーバーシステム５は、観測データ受信部１１、カメラ信号送・受信部１２、受信データ統合処理部１３、日付・時間管理部１４、日付・時間処理部１５、レイヤー表示処理部１６、映像出力部１７、実験内容登録部１８、画像保存処理部１９、画像保存部２０、Ｗｅｂ表示処理部２１、入力部２２で構成されている。
【００３０】
そして、実験管理サーバーシステム５は、実験環境データ観測機器２で取得した環境データと、観測現場に設置されたウェブカメラ３によって取得した映像データを、Ｗｅｂ表示処理部２１において同一画面上に表示可能なデータに処理し、さらに画像保存部２０に画像データとして保存するとともに、実験観察用端末４に送信することを可能とするものである。
【００３１】
以下、実験管理サーバーシステム５を詳細に説明する。観測データ受信部１１は、温度・湿度計等の各種の実験環境データ観測機器２で取得した温度・湿度等の実験環境データを受信して、受信データ統合処理部１３に送信する機能を有するものである。
【００３２】
受信データ統合処理部１３は、温度・湿度計等の各種の実験環境データを整理し統合する機能を有するものである。
【００３３】
実験内容登録部１８は、実験観察名、観察テーマ、観察者、概要、環境条件、実験手法等、実験内容に関する各種のデータ（「実験内容データ」という。）を予め登録しておくとともに、レイヤー表示処理部１６に送信してレイヤー表示に供する機能を有するものである。
【００３４】
具体的には、実験観察用端末４（実験管理サーバーシステム５の管理者又は本システムの使用者の端末）の入力部６において、実験内容データを入力し、これを実験管理サーバーシステム５の入力部に送信して、さらに実験内容登録部１８に予め登録するものである。
【００３５】
日付・時間管理部１４は、本来、コンピュータに内蔵された日時管理機能を有する部分である。
【００３６】
日付・時間処理部１５は、日付・時間管理部１４から出力される日時（日時、分、秒も含む。）に係るデータ（「日時データ」という。）を、映像画面でレイヤー表示可能なデータ及びWeb表示可能なデータに変換処理し、この日時データをレイヤー表示処理部１６に送信する機能を有するものである。
【００３７】
さらに、日付・時間処理部１５は、ウェブカメラ３で取得した「観測現場の映像データ」と、実験環境データ観測機器２で取得した実験環境データ、実験内容データ及び日時データ等のレイヤー表示可能に処理したデータ（後述するが「実験レイヤー表示データ」という。）を同時に保存するスケジュールを管理し、制御する機能を有する。
【００３８】
即ち、実験観察用端末４（実験管理サーバーシステム５の管理者又は本システムの使用者の端末）の入力部６において、管理者又は使用者が、例えば、1時間後、1日後、１週間後、或いは1時間置き、1日置き、一週間置き等、「観測現場の映像データ」と「実験レイヤー表示データ」の保存スケジュールを、日時又は保存間隔で入力し、実験管理サーバーシステム５の入力部２２に送信して、さらに日付・時間処理部１５に登録する。
【００３９】
そして、日付・時間処理部１５は、このような保存スケジュールを、画像保存処理部１９に送信して、「観測現場の映像データ」と「実験レイヤー表示データ」の保存を同時に実行する。
【００４０】
レイヤー表示処理部１６は、受信データ統合処理部１３から温度・湿度計等の各種の実験環境に係る統合データを受信し、実験内容登録部１８から実験内容データを受信し、さらに日付・時間処理部１５から日時データ信号を受信する。そして、これらのデータをレイヤー表示可能なデータ（これを「実験レイヤー表示データ」と言う。）として処理し、Ｗｅｂ表示処理部２１に送信する。
【００４１】
カメラ信号送・受信部１２は、管理者又は使用者が実験観察用端末４の入力部６に入力したウェブカメラ３の操作データ（操作信号）を、入力部２２経由で受信し、これをウェブカメラ３に送信するとともに、ウェブカメラ３で取得した「観測現場の映像データ」をウェブカメラ３から受信し、映像出力部１７に送信する機能を有するものである。
【００４２】
即ち、実験観察用端末４の入力部６において、管理者又は使用者により入力されたカメラの操作データ（撮影方向、撮影時間等の撮影操作に係るデータ）は、インターネット１０を介して、実験管理サーバーシステム５の入力部２２からカメラ信号送・受信部１２に送信される。
【００４３】
そして、カメラ信号送・受信部１２は、このウェブカメラ３の操作データをウェブカメラ３の動作制御部に送信し、ウェブカメラ３の動作制御部は、ウェブカメラ３の操作データに基づいて、ウェブカメラ３の撮影部を制御して、ウェブカメラ３の撮影方向や撮影動作を制御可能である。
【００４４】
このようにしてウェブカメラ３で撮影して得た「観測現場の映像データ」は、ウェブカメラ３の映像出力部１７から、実験管理サーバーシステム５のカメラ信号送・受信部１２に送信される。カメラ信号送・受信部１２は、「観測現場の映像データ」を、映像出力部１７を介してＷｅｂ表示処理部２１に送信する。
【００４５】
Ｗｅｂ表示処理部２１は、レイヤー表示処理部１６からの実験環境に係る観察データ、実験内容データ及び日時データを合わせて成るレイヤー表示可能なデータ（前述のとおり、「実験レイヤー表示データ」と言う。）を受信するとともに、映像出力部１７から「観測現場の映像データ」を受信する。
【００４６】
そして、Ｗｅｂ表示処理部２１は、これらの「実験レイヤー表示データ」と「観測現場の映像データ」をウェブ表示可能な映像データ（画像データ）に処理し、インターネット１０を介して実験観察用端末４の出力部７に送信する。
【００４７】
実験観察用端末４は、出力部７で受信した「実験レイヤー表示データ」と「観測現場の映像データ」を、Ｗｅｂ表示部８で表示可能である。なお、実験管理サーバーシステム５のＷｅｂ表示処理部２１と実験観察用端末４のＷｅｂ表示部８は、同一のパソコン内に設けてもよい。
【００４８】
さらに、Ｗｅｂ表示処理部２１は、「実験レイヤー表示データ」と「観測現場の映像データ」を、画像保存処理部１９に送信して画像保存に供する。即ち、画像保存処理部１９は、日付・時間処理部１５からの観測データの保存スケジュールデータを受信し、この保存スケジュールデータを、Ｗｅｂ表示処理部２１に送信すると、Ｗｅｂ表示処理部２１は、保存スケジュールデータに基づいて「実験レイヤー表示データ」及び「観測現場の映像データ」を画像保存処理部１９に送信し、さらに画像保存部２０に送信して、「実験レイヤー表示データ」及び「観測現場の映像データ」を自動的に保存（自動バックアップ）する。
【００４９】
さらに、画像保存処理部１９は、実験観察用端末４の入力部６へ閲覧請求指令信号（閲覧のための操作信号）を入力し、この信号がインターネット１０を介して、実験管理サーバーシステム５の入力部２２に送信され、さらに閲覧請求指令信号が画像保存処理部１９に送信されると、画像保存部２０から「実験レイヤー表示データ」及び「観測現場の映像データ」をＷｅｂ表示処理部２１に送り、さらに実験観察用端末４の出力部６に送って、Ｗｅｂ表示部８で表示可能となる。
【００５０】
（作用）
（１）観測データ及び観測現場の映像データの経路手順
図２は、同一のウェブ表示画面に、「実験レイヤー表示データ」と「観測現場の映像データ」を表示する信号経路手順を説明するフローチャートである。
【００５１】
（イ）実験環境データ観測機器２（温度・湿度計、風力計、震度計、照度計等）が観測現場で動作し観測を行う。
（ロ）実験環境データ観測機器２により取得された観測データ（温度・湿度、風力、震度、照度等の観測データ）が、データ送信部９及びインターネット１０を介して実験管理サーバーシステム５の観測データ受信部１１に送信される。
【００５２】
（ハ）観測データは、受信データ統合処理部１３に送られ、生の観測データが所望のデータに加工して処理される。例えば、前回取得したデータとの差等が算出され付加される。観測データは、受信データ統合処理部１３からレイヤー表示処理部１６に送られる。
（ニ）一方、日付・時間管理部１４から日時データが日付・時間処理部１５に送信される。
（ホ）日付・時間処理部１５からさらに日時データをレイヤー表示処理部１６に送信される。
【００５３】
（ヘ）レイヤー表示処理部１６において、受信データ統合処理部１３からの観測データに、日付・時間処理部１５からの日時データと実験内容登録部１８からの実験内容データ（図２中ではフローを省略。）を合わせて、映像画面にレイヤー表示可能なデータ（「実験レイヤー表示データ」）に処理する。「実験レイヤー表示データ」は、Ｗｅｂ表示処理部２１に送られる。
【００５４】
（ト）観測現場に設置されたウェブカメラ３は、実験現場を事象を撮影し、「観察現場の映像データ」を取得する。
（チ）ウェブカメラ３で撮影されて取得された「観察現場の映像データ」は、インターネット１０を介して実験管理サーバーシステム５のウェブカメラ送・受信部に送信される。
（リ）さらに「観察現場の映像データ」は、映像出力部１７に送信されて、映像出力部１７からＷｅｂ表示処理部２１に送信される。
【００５５】
（ヌ）Ｗｅｂ表示処理部２１は、レイヤー表示処理部１６からの「実験レイヤー表示データ」と映像出力部１７からの「観測現場の映像データ」を、同時にＷｅｂ表示可能なデータに処理する。
（ル）Ｗｅｂ表示可能なデータに処理された「実験レイヤー表示データ」と「観測現場の映像データ」は、インターネット１０を介して実験観察用端末４の出力部７に送信され、Ｗｅｂ表示部８で、「実験レイヤー表示データ」が「観測現場の映像データ」とともに画像データのレイヤーとして表示される。
【００５６】
（２）画像保存信号の経路手順
図３は、日時データ信号の流れを表示する信号経路手順を説明するフローチャートである。
（イ）サーバー管理者又は使用者は、実験観察用端末４の入力部６から、例えば、１時間後、１日後、１週間後、或いは１時間置き、１日置き、一週間置き等、「観測現場の映像データ」と「実験レイヤー表示データ」の保存スケジュールを、日時又は保存間隔で入力する。
（ロ）このスケジュールデータを、インターネット１０を介して、実験管理サーバーシステム５の入力部２２に送信し、日付・時間処理部１５に登録する。
【００５７】
（ハ）この登録されたスケージュルデータに基づいて、日付・時間処理部１５から定期的に画像保存処理部１９に画像保存の指令が出される。
（ニ）この画像保存の指令に基づいて、画像保存処理部１９は、Ｗｅｂ表示処理部２１に画像保存信号を伝達して、保存されるべき画像データ（「実験レイヤー表示データ」と「観測現場の映像データ」からなるデータ）をＷｅｂ表示処理部２１から受信する。
（ニ’）なお、Ｗｅｂ表示処理部２１は、レイヤー表示処理部１６から「実験レイヤー表示データ」を受信するとともに、映像出力部１７から「観測現場の映像データ」を受信している。
【００５８】
（ホ）画像保存処理部１９は、Ｗｅｂ表示処理部２１から受信した保存されるべき画像データを画像保存部２０に送信して保存する。保存された画像データは、保存の行われる都度データベース化される。
（ヘ）画像保存部２０に保存された画像データは、インターネット１０を介して実験観察用端末４の出力部７にも送られ、実験観測用端末４の記憶部（図１中では省略）に自動バックアップされる。
【００５９】
（ト）サーバー管理者又は使用者は、画像保存部２０保存された画像データを閲覧する場合には、実験観察用端末４の入力部から、閲覧請求指令信号をインターネット１０を介して、実験管理サーバーシステム５の入力部２２に閲覧請求指令信号送信し、画像保存処理部１９を介して画像保存部２０の画像を抽出して、Ｗｅｂ表示処理部２１を経由して実験観察用端末４の出力部７に送信する。なお、実験観察用端末４の入力部６から、閲覧請求指令信号をインターネット１０を介して、画像保存部２０に直接送って画像を抽出するような構成としてもよい。
（チ）この閲覧請求指令をした画像をＷｅｂ表示部８で表示することができる。
【００６０】
（３）実験内容の登録、表示の手順
図４は、実験内容の登録、表示の手順を説明するフローチャートである。
（イ）サーバー管理者又は使用者は、実験観察用端末４の入力部６から、実験内容データ（例えば、実験観察名、観察テーマ、観察者、概要、環境条件、実験手法等、実験内容に関する各種のデータ）を入力する。
【００６１】
（ロ）実験内容データは、実験観察用端末４の入力部６からインターネット１０を介して実験管理サーバーシステム５の入力部２２に送られ、さらに実験内容登録部１８に送られて予め登録される。
（ハ）実験内容登録部１８に予め登録された実験内容データは、レイヤー表示処理部１６に送信されて、実験レイヤー表示データの一部としてレイヤー表示可能なように処理される。これにより、映像と同時に画像保存可能とされるとともに、Ｗｅｂ表示可能となる。
【００６２】
以上のような構成により、本発明に係るウェブカメラ実験観察データ自動取得システム１では、観測現場に設置されたウェブカメラ３により、その現場で生じた事象を撮影して「観測現場の映像データ」を得ることができ、併せて温度・湿度計等の各種の実験環境データ観測機器２で取得した温度・湿度計等に関する観察データを取得することができる。
【００６３】
観測される環境データとしては、温度・湿度等の他に、光の照度、風速、大気又は空気のクリーン度、震度等がある。観察データは、日時データ及び実験内容データ（実験観察名、観察テーマ、観察者、概要、環境条件、実験手法等、実験内容に関する各種のデータ）とともにレイヤー表示可能な「実験レイヤー表示データ」に処理される。
【００６４】
そして、実験管理サーバーシステム５のＷｅｂ表示処理部２１は、これらの「実験レイヤー表示データ」と「観測現場の映像データ」を、インターネット１０を通して実験観察用端末４の出力部７に送信する。これらのデータを受信した実験観察用端末４は、そのＷｅｂ表示部８において、映像事象（観測現場の事象が映像化されたもの）が映し出されるウェブカメラ３の映像範囲上に、その事象の起こっている観察データを含む「実験レイヤー表示データ」を同時にレイヤー表示することを可能とする。
【００６５】
さらに、本発明に係るウェブカメラ実験観察データ自動取得システム１では、実験管理サーバーシステム５において、「実験レイヤー表示データ」と「観測現場の映像データ」を、一つの映像ファイルとして保存することができる。
【００６６】
本発明に係るウェブカメラ実験観察データ自動取得システム１では、実験環境データ観測機器２で取得した環境データは、常時、観測データ受信部１１に送信され、受信データ統合処理部１３に入力されている。
【００６７】
そして、観察データを自動取得し保存するスケジュールを日時や間隔として、日付・時間処理部１５において予め設定すれば、その設定された日時や間隔のスケジュールで、連続してデータをレイヤ表示処理部１６において取り込み、Ｗｅｂ表示処理部２１に送ることができる。
【００６８】
さらに、観察データを保存する日時や間隔を、日付・時間処理部１５において予め設定すれば、画像保存処理部１９は、その設定された日時や間隔のスケジュールで、連続して「実験レイヤー表示データ」と「観測現場の映像データ」を、一つの映像ファイルとして、画像保存部２０に保存することができる。
【００６９】
さらに、このウェブカメラ実験観察データ自動取得システム１では、を、実験内容登録部１８に予め登録しておくとともに、レイヤー表示処理部１６に送信してレイヤー表示に供する機能を有するものである。
【００７０】
本発明は以上のとおり、観察現場の事象に係る観察データと撮影による映像データを、予め設定したスケジュールで、自動的に取得して保存でき、ネットワークを介して１つのサーバーで集約管理することができる。
【００７１】
以上、本発明に係るウェブカメラ実験観察データ自動取得システムを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７２】
本発明に係るウェブカメラ実験観察データ自動取得システムは以上の構成であるから、野外において植物の生育状況やその環境変化データを取得する場合、室内においても、化学反応の実験やモルモット等を利用した動物実験において観察データを取得する場合、さらに、防災（火山活動・地震予知・台風）や教育（観察）、防犯、観光等様々な分野に応用可能となる。
【図面の簡単な説明】
【００７３】
【図１】本発明の実施例の全体構成を示すブロック図である。
【図２】本発明の実施例の観測データ及び観測現場の映像データの経路手順を説明する図である。
【図３】本発明の実施例の画像保存信号の経路手順を説明する図である。
【図４】本発明の実施例の実験内容登録・表示手順を説明する図である。
【符号の説明】
【００７４】
１  ウェブカメラ実験観察データ自動取得システム             
２  実験環境データ観測機器                                 
３  観測現場に設置されたウェブカメラ                       
４  実験観察用端末                                         
５  実験管理サーバーシステム                               
６  実験観察用端末の入力部                                 
７  実験観察用端末出力部                                   
８  Ｗｅｂ表示部                                           
９  データ送信部                                           
１０  インターネット                                       
１１  観測データ受信部                                     
１２  カメラ信号送・受信部                                 
１３  受信データ統合処理部                                 
１４  日付・時間管理部                                     
１５  日付・時間処理部                                     
１６  レイヤー表示処理部                                   
１７  映像出力部                                           
１８  実験内容登録部                                       
１９  画像保存処理部                                       
２０  画像保存部                                           
２１  Ｗｅｂ表示処理部                                     
２２  入力部                                               
【図１】
2005312410.tif 000003
【図２】
2005312410.tif 000004
【図３】
2005312410.tif 000005
【図４】
2005312410.tif 000006